(57)【要約】【課題】放熱効率の良い光モジュールを提供すること。【解決手段】可塑性を有する熱伝導部材である放熱シート１４０が、放熱シート１４０の下面が駆動ＩＣ１１３、発光素子１１４、ＴＩＡ１１５及び受光素子１１６の上面の全面を覆うように、ＦＰＣ１１２の上方に積層されて配置される。このように配置された放熱シート１４０が、上カバー１０１に下向きに形成された突起１０１−１よって押下されることにより変形し、放熱シート１４０の下面と、駆動ＩＣ１１３、発光素子１１４、ＴＩＡ１１５及び受光素子１１６の少なくとも上面とが密着する。【選択図】図２
2015022129.tif 000002
【特許請求の範囲】
【請求項１】
一対となって筐体を形成する上カバー及び下カバーと、
電気信号が伝送される配線パターンを有する第１の回路基板と、
前記電気信号と光との変換を行う光素子が搭載された第２の回路基板と、
前記第１の回路基板の下面側に設けられ、前記光素子から出力される光、または、前記光素子へと入射する光を導波させる光導波路と、
可塑性を有する第１の熱伝導部材と、を備え、
前記筐体内において、
前記第１の回路基板上に、前記光導波路、前記第２の回路基板、及び、前記第１の熱伝導部材が積層され、
前記上カバーに形成された第１の突起の下面と、前記第１の熱伝導部材の上面とが密着し、
前記第１の熱伝導部材の下面と、前記光素子の上面とが密着する、
ことを特徴とする光モジュール。
【請求項２】
前記下カバーは、前記第１の突起に対向する位置に形成された第２の突起を有し、
前記第２の突起は、前記第１の回路基板を下方から支持する、
ことを特徴する請求項１に記載の光モジュール。
【請求項３】
前記第１の回路基板と前記光導波路との間に積層された、可塑性を有する第２の熱伝導部材、をさらに備え、
前記第１の熱伝導部材の厚さが、前記第２の熱伝導部材の厚さより薄い、
ことを特徴とする請求項１または２に記載の光モジュール。
【請求項４】
前記第２の熱伝導部材と前記光導波路との間に積層された金属板、
をさらに備えることを特徴とする請求項３に記載の光モジュール。
【請求項５】
前記第１の回路基板と前記光導波路との間に積層された弾性体、
をさらに備えることを特徴とする請求項１または２に記載の光モジュール。
【請求項６】
前記第１の回路基板上に配置された温度センサ、をさらに備え、
前記第１の熱伝導部材と前記温度センサとが密着する、
ことを特徴とする請求項１から５のいずれか一つに記載の光モジュール。
【発明の詳細な説明】
【技術分野】
【０００１】
本発明は、光モジュールに関する。
【背景技術】
【０００２】
近年、スーパーコンピュータ、ハイエンドサーバ等の分野では、信号の高速伝送化に対する要求が高まっている。また、IBTA  EDR，100G  Ethernet（Ethernet：登録商標）等の規格で検討されている次世代インターフェースでは、信号の伝送距離が数十ｍと長い。このため、信号の高速伝送化に対応でき、かつ、伝送距離を長くできる光通信の利用が増加している。
【０００３】
光通信において、電気信号と光との変換を行うために、光モジュールが用いられる。光モジュールは、例えば、ハイエンドサーバのフロントプレーンまたはバックプレーンにおいて、サーバーブレードと光ケーブルとを接続するときに用いられ、光ケーブルから入力された光を電気信号に変換してサーバーブレードへ出力する。また、光モジュールは、サーバーブレードから入力された電気信号を光に変換して光ケーブルへ出力する。
【０００４】
光モジュールは、その筐体内に、電気信号と光との変換を相互に行う「光電気変換器」を備える。光電気変換器は、ＦＰＣ（Flexible  Printed  Circuits）に、発光素子と、発光素子を駆動させる駆動ＩＣ（Integrated  Circuit）と、受光素子と、受光素子からの電流を電圧に変換するＴＩＡ（Trans  Impedance  Amplifier）とが搭載されることにより形成される。
【先行技術文献】
【特許文献】
【０００５】
【特許文献１】特開２０１２−０６８５３９号公報
【発明の概要】
【発明が解決しようとする課題】
【０００６】
光電気変換器はその動作に伴って発熱して高温となり、特に、駆動ＩＣ及びＴＩＡの発熱が大きい。このため、光電気変換器から放出される熱が光モジュールの筐体内に溜まってしまうと、筐体内が高温になり、その結果、発光素子及び受光素子の動作不良、ＦＰＣの変形等が発生し、光モジュールの故障に繋がることがある。
【０００７】
開示の技術は、上記に鑑みてなされたものであって、放熱効率の良い光モジュールを提供することを目的とする。
【課題を解決するための手段】
【０００８】
開示の態様では、光モジュールは、一対となって筐体を形成する上カバー及び下カバーと、電気信号が伝送される配線パターンを有する第１の回路基板と、前記電気信号と光との変換を行う光素子が搭載された第２の回路基板と、前記第１の回路基板の下面側に設けられ、前記光素子から出力される光、または、前記光素子へと入射する光を導波させる光導波路と、可塑性を有する第１の熱伝導部材と、を備える。また、前記筐体内において、前記第１の回路基板上に、前記光導波路、前記第２の回路基板、及び、前記第１の熱伝導部材が積層され、前記上カバーに形成された第１の突起の下面と、前記第１の熱伝導部材の上面とが密着し、前記第１の熱伝導部材の下面と、前記光素子の上面とが密着する。
【発明の効果】
【０００９】
開示の態様によれば、放熱効率の良い光モジュールを提供することができる。
【図面の簡単な説明】
【００１０】
【図１】図１は、実施例１の光モジュールの全体構成を示す図（分解図）である。
【図２】図２は、実施例１の光モジュールの内部構成を示す図である。
【図３】図３は、実施例２の光モジュールの内部構成を示す図（断面図）である。
【図４】図４は、実施例３の光モジュールの内部構成を示す図（断面図）である。
【図５】図５は、実施例４の光モジュールの内部構成を示す図（断面図）である。
【図６】図６は、実施例５の光モジュールの内部構成を示す図である。
【図７】図７は、放熱シートを備えない場合の熱伝導のシミュレーション結果を示すグラフである。
【図８】図８は、放熱シートを備える場合の熱伝導のシミュレーション結果を示すグラフである。
【発明を実施するための形態】
【００１１】
以下に、本願の開示する光モジュールの実施例を図面に基づいて詳細に説明する。なお、この実施例により本願の開示する光モジュールが限定されるものではない。また、以下の実施例において、同一の構成部材には同一の符号を付し、重複する説明を省略する。
【００１２】
［実施例１］
＜光モジュールの構成＞
図１は、実施例１の光モジュールの全体構成を示す図（分解図）である。
【００１３】
図１に示すように、本実施例の光モジュール１００は、ＭＴ（Mechanically Transferable）フェルール２と、ＭＴフェルール２に位置決めピンを介して位置決めされるレンズ付きフェルール３とを有する。光モジュール１００はさらに、レンズ付きフェルール３を接続方向Ｓ側から支持する支持部４１が形成された下カバー１０２と、下カバー１０２に締結固定されてＭＴフェルール２をレンズ付きフェルール３に向かう方向に押圧するフェルールクリップ５とを有する。支持部４１は、接続方向Ｓと反対方向に面する壁面である。
【００１４】
なお、図１において、「Ｓ」はレンズ付きフェルール３に対するＭＴフェルール２の接続方向を指し、「Ｔ」は平板状をなす光モジュール１００の下カバー１０２の底から開口に向かう厚み方向を指し、「Ｗ」は接続方向Ｓと厚み方向Ｔに対して垂直な幅方向を指している。また、本実施例では、厚み方向Ｔの矢印を図示の便宜上、上方とし、幅方向Ｗの矢印は接続方向Ｓから見て左方を示している。但し、接続方向Ｓのみが方向性を有し、厚み方向Ｔと幅方向Ｗは方向性を有しない。
【００１５】
ＭＴフェルール２は、ほぼ直方体状をなし、接続方向Ｓと反対側には幅方向Ｗ及び厚み方向Ｔに拡大する拡大部を有している。また、レンズ付きフェルール３も、ほぼ直方体状をなし、接続方向Ｓ側に幅方向Ｗ及び厚み方向Ｔに拡大する拡大部を有している。下カバー１０２の支持部４１は、レンズ付きフェルール３の拡大部の右端面を支持する。
【００１６】
フェルールクリップ５は、下カバー１０２に締結固定される板状部５１と、ＭＴフェルール２の左端面に当接する一対の当接部５２と、一対の当接部５２と板状部５１とを連結して当接部５２をＭＴフェルール２側に付勢する付勢力を発生する一対のばね部５３とを有する。フェルールクリップ５の材料は、例えば、可撓性を有する金属である。また、フェルールクリップ５は、下カバー１０２に締結固定するためのネジ部５４と、ネジ部５４を挿通するネジ穴５５とを有する。板状部５１は、ネジ穴５５に対応する一対の耳部５６を有する。
【００１７】
下カバー１０２は、ＭＴフェルール２とレンズ付きフェルール３とが嵌合されて位置決めされるコの字型の切り欠き部４２を有する。切り欠き部４２よりも支持部４１側には、レンズ付きフェルール３の拡大部を収納する収納部４３が形成される。収納部４３は切り欠き部４２よりも幅方向Ｗに広く厚み方向Ｔに深く形成される。また、下カバー１０２は、上カバー１０１用のネジ１４に対応する一対の雌ネジ部４４と、フェルールクリップ５用のネジ部５４に対応する一対の雌ネジ部４５とを、切り欠き部４２の幅方向Ｗの外側に位置するブロック部４６に備えている。雌ネジ部４４は雌ネジ部４５よりも支持部４１寄りに位置する。支持部４１よりも接続方向Ｓ側にはフェルールブーツ８を収容する一対の収容壁４７が形成される。
【００１８】
また、光モジュール１００は、レンズ付きフェルール３から光電気変換器６に向けて引き出される光導波路１３０と、光導波路１３０を撓ませるフェルールブーツ８とを有する。フェルールブーツ８を光電気変換器６に対して光導波路１３０の長さより近接させて配置することで、光導波路１３０は撓んだ状態に維持される。
【００１９】
また、光モジュール１００は、プリント基板１１１と、プリント基板１１１の所定部位に実装された電気コネクタ１２０とを有し、光電気変換器６が電気コネクタ１２０に接続されてプリント基板１１１上に配置される。プリント基板１１１の右端にはカードエッジコネクタ９１が形成される。
【００２０】
また光モジュール１００は、下カバー１０２が有する開口を閉塞する上カバー１０１と、光電気変換器６が発生する熱を上カバー１０１へ伝導して放熱する放熱シート１４０とを有する。
【００２１】
プリント基板１１１では、電気コネクタ１２０が配置される部分からカードエッジコネクタ９１までの部分が、光電気変換器６が搭載される部分よりも幅方向Ｗに広い形態を有している。プリント基板１１１は下カバー１０２の収容壁４７よりも接続方向Ｓ側に位置する基板収納部４８に収納される。
【００２２】
ＭＴフェルール２の接続方向Ｓと反対側からは光ケーブル１５が引き出されており、光ケーブル１５は、一対のスリーブ１６と、カシメリング１７とを介して、一対のケーブルブーツ１８内に収納される。ケーブルブーツ１８には、プルタブ／ラッチ１９が装着される。
【００２３】
合成樹脂部材１３は、プリント基板１１１と上カバー１０１との間にできる隙間を埋めるために、プリント基板１１１上の所定の位置に配置される。
【００２４】
図２は、実施例１の光モジュールの内部構成を示す図である。図２（Ａ）は上面図、図２（Ｂ）は光伝送方向に沿った断面図である。
【００２５】
図２において、光モジュール１００は、上カバー１０１と、下カバー１０２と、プリント基板１１１と、電気コネクタ１２０と、ＦＰＣ１１２と、レンズシート１１０と、光導波路１３０と、放熱シート１４０とを有する。上カバー１０１及び下カバー１０２の材料は、切削アルミまたは亜鉛ダイキャスト等であり、上カバー１０１と下カバー１０２とが一対となって、光モジュールの筐体が形成される。また、光モジュール１００は、ＦＰＣ１１２上に、駆動ＩＣ１１３と、発光素子１１４と、ＴＩＡ１１５と、受光素子１１６とを有する。
【００２６】
プリント基板１１１の右端にはカードエッジコネクタ９１が形成されており、光モジュール１００は、このカードエッジコネクタ９１を介してサーバーブレードに接続される。また、プリント基板１１１の少なくとも上面において、カードエッジコネクタ９１と電気コネクタ１２０との間には配線がパターニングされており、この配線パターンを介して電気信号が伝送される。
【００２７】
ＦＰＣ１１２の少なくとも上面には配線がパターニングされており、ＦＰＣ１１２は、プリント基板１１１にパターニングされた配線と、電気コネクタ１２０を介して電気的に接続される。ＦＰＣ１１２の材料として、薄くて、高周波で電気信号の劣化が小さく、かつ、透明な材料（例えばポリイミド等）が用いられる。
【００２８】
ＦＰＣ１１２の上面には、光素子である発光素子１１４及び受光素子１１６がフェイスダウン実装されている。発光素子１１４は、電気コネクタ１２０を介して入力される電気信号を光に変換する。受光素子１１６は、光導波路１３０を介して入射される光を電気信号に変換する。また、ＦＰＣ１１２の上面において、発光素子１１４の近傍には、発光素子１１４を駆動させる駆動ＩＣ１１３が配置され、受光素子１１６の近傍には、受光素子１１６からの電流を電圧に変換するＴＩＡ１１５が配置されている。発光素子１１４及び受光素子１１６のフェイスダウン実装は、例えばフリップチップボンダー等の一般的な電気素子実装方法で実現可能である。また、発光素子１１４は、例えばＶＣＳＥＬ（Vertical  Cavity  Semiconductor  Emission  Laser）アレイであり、受光素子１１６は、例えばＰＤ（Photo  Diode）アレイである。発光素子１１４、受光素子１１６、駆動ＩＣ１１３及びＴＩＡ１１５がＦＰＣ１１２に搭載されることにより、電気を光に変換し、光を電気に変換する光電気変換器６が形成される。
【００２９】
ＦＰＣ１１２の下面には、透明材料で構成され、かつ、一部に集光用レンズが形成されたレンズシート１１０が接着層を介して貼り付けられている。
【００３０】
レンズシート１１０の下面には、光を伝送する光導波路１３０が貼り付けられている。光導波路１３０は、発光素子１１４から出力される光、または、受光素子１１６へと入射する光を導波させる。光導波路１３０は、シート上の光導波路であり、例えばポリマー光導波路である。光導波路１３０には、光路を９０度曲げて光を結合するためのミラー（図示せず）が形成されている。
【００３１】
放熱シート１４０は、可塑性を有する熱伝導部材である。放熱シート１４０の材料は、例えば、伝熱用のフィラーを含む合成樹脂である。放熱シート１４０は、放熱シート１４０の下面が駆動ＩＣ１１３、発光素子１１４、ＴＩＡ１１５及び受光素子１１６の上面の全面を覆うように、ＦＰＣ１１２の上方に積層されて配置される。そして、このように配置された放熱シート１４０が、上カバー１０１に下向きに形成された突起１０１−１よって押下されることにより変形し、放熱シート１４０の下面と、駆動ＩＣ１１３、発光素子１１４、ＴＩＡ１１５及び受光素子１１６の少なくとも上面とが密着する。
【００３２】
ここで、放熱シート１４０の密着を確実にするために、突起１０１−１の平面上の位置は、駆動ＩＣ１１３、発光素子１１４、ＴＩＡ１１５及び受光素子１１６の位置と一致させるのが好ましい。また、放熱シート１４０の密着を確実にするために、突起１０１−１の下面の面積は、駆動ＩＣ１１３、発光素子１１４、ＴＩＡ１１５及び受光素子１１６の外周で囲まれる面積以上とすることが好ましい。例えば、突起１０１−１の下面の面積を、駆動ＩＣ１１３、発光素子１１４、ＴＩＡ１１５及び受光素子１１６の上面の全面を覆う放熱シート１４０の面積と等しくするか、または、その放熱シート１４０の面積よりやや大きくするのがよい。また、放熱シート１４０の密着を確実にするために、放熱シート１４０の変形前の当初の厚さを、突起１０１−１の下面とプリント基板１１１の上面との間の間隔より大きくするのが好ましい。例えば、突起１０１−１の下面とプリント基板１１１の上面との間の間隔が１.４ｍｍである場合には、変形前の放熱シート１４０の厚さを２.０ｍｍとするとよい。
【００３３】
このように、可塑性を有する放熱シート１４０を光電気変換器６の上方に積層し、放熱シート１４０を突起１０１−１で押下することにより、放熱シート１４０の下面と、駆動ＩＣ１１３、発光素子１１４、ＴＩＡ１１５及び受光素子１１６の少なくとも上面とが密着するとともに、放熱シート１４０の上面と突起１０１−１の下面とが密着する。このため、光電気変換器６が発生する熱が、放熱シート１４０を介して上カバー１０１に伝わり、上カバー１０１の外面から光モジュール１００の外部の空気中に放出される。よって、光電気変換器６が発生する熱を光モジュール１００の筐体外部に効率よく放出することができる。つまり、本実施例によれば、放熱効率の良い光モジュール１００を提供することができる。
【００３４】
また、可塑性のある部材を放熱シート１４０として用いることにより、上カバー１０１とプリント基板１１１との間の間隔の寸法公差を、放熱シート１４０の変形により吸収することができる。
【００３５】
ここで、突起１０１−１で放熱シート１４０を押下すると、突起１０１−１から放熱シート１４０に加わる圧力のうちの一部の圧力がプリント基板１１１に加わるため、この一部の圧力によりプリント基板１１１が撓むことがある。そこで、下カバー１０２には上向きに突起１０２−１が形成され、この突起１０２−１の上面がプリント基板１１１の下面と接触することで、突起１０２−１がプリント基板１１１を下方から支持する。突起１０２−１の平面上の位置は、突起１０１−１の平面上の位置と一致させるのが好ましい。すなわち、下カバー１０２において、突起１０２−１を突起１０１−１に対向する位置に形成するのが好ましい。また、プリント基板１１１の支持には、突起１０２−１の上面の面積は、突起１０１−１の下面の面積より小さくて足りる。
【００３６】
このように、放熱シート１４０を押下する突起１０１−１に対向させて、プリント基板１１１を下方から支持する突起１０２−１を下カバー１０２に設けることで、放熱シート１４０の押下によって生じるプリント基板１１１の撓みを防止することができる。
【００３７】
［実施例２］
＜光モジュールの内部構成＞
実施例１で説明した放熱シート１４０の熱抵抗率は、上カバー１０１の熱抵抗率より大きい。また、放熱シート１４０の厚さが厚くなるほど熱抵抗率がより大きくなる。よって、上カバー１０１への放熱効率を向上させるためには、放熱シート１４０の厚さをできるだけ薄くするのが好ましい。そこで、本実施例では、以下のようにして、突起１０１−１と光電気変換器６との間に配置される放熱シートの厚さを薄くした。
【００３８】
図３は、実施例２の光モジュールの内部構成を示す図（断面図）である。なお、上面図は実施例１と同一であるため省略する。
【００３９】
図３において、光モジュール２００は、放熱シート２０１と、放熱シート２０２とを有する。放熱シート２０１及び放熱シート２０２は、可塑性を有する熱伝導部材である。放熱シート２０１及び放熱シート２０２の材料は、例えば、伝熱用のフィラーを含む合成樹脂である。放熱シート２０１は、実施例１の放熱シート１４０に相当し、放熱シート１４０の厚さを薄くしたものである。
【００４０】
放熱シート２０１は、実施例１と同様にして、ＦＰＣ１１２の上方に積層されて配置される。放熱シート２０２は、光導波路１３０の下面と、プリント基板１１１との上面との間に積層されて配置される。放熱シート２０２の面積は、放熱シート２０１の面積と一致する。そして、このように配置された放熱シート２０１が、実施例１と同様に、突起１０１−１よって押下されることにより変形し、放熱シート２０１の下面と、駆動ＩＣ１１３、発光素子１１４、ＴＩＡ１１５及び受光素子１１６の少なくとも上面とが密着する。同時に、放熱シート２０２は、突起１０２−１によってプリント基板１１１を介して下方から圧力を加えられて変形し、放熱シート２０２の上面が光導波路１３０の下面と密着し、放熱シート２０２の下面がプリント基板１１１の上面と密着する。つまり、放熱シート２０１の厚さを実施例１の放熱シート１４０の厚さより薄くしたことにより生じる、光導波路１３０の下面とプリント基板１１１の上面との間の隙間を、可塑性のある放熱シート２０２により埋める。
【００４１】
ここで、例えば、突起１０１−１の下面とプリント基板１１１の上面との間の距離が１.４ｍｍである場合には、変形前の放熱シート２０１の厚さを０.５ｍｍとし、変形前の放熱シート２０２の厚さを１.０ｍｍとするとよい。
【００４２】
このように、本実施例では、突起１０１−１と光電気変換器６との間に配置される放熱シートの厚さを薄くしたため、上カバー１０１への放熱効率を向上させることができる。
【００４３】
また、本実施例では、放熱シート２０１の厚さを薄くしたことにより生じる、光導波路１３０の下面とプリント基板１１１の上面との間の隙間を、可塑性のある放熱シート２０２により埋める。これにより、放熱シート２０１と、駆動ＩＣ１１３、発光素子１１４、ＴＩＡ１１５及び受光素子１１６との密着性を高めることができる。また、上カバー１０１とプリント基板１１１との間の間隔の寸法公差のうち、厚さが薄い放熱シート２０１では吸収しきれない分を、放熱シート２０２の変形により吸収することができる。
【００４４】
また、本実施例では、放熱シート２０２の部材を放熱シート２０１の部材と同一にする。これにより、放熱効率向上のための、光モジュール２００の製造コストの上昇を抑えることができる。
【００４５】
［実施例３］
＜光モジュールの内部構成＞
図４は、実施例３の光モジュールの内部構成を示す図（断面図）である。なお、上面図は実施例１と同一であるため省略する。
【００４６】
図４に示す光モジュール３００においては、光導波路１３０の下面と、放熱シート２０２の上面との間に、金属板３０１が積層されて配置される。
【００４７】
ＦＰＣ１１２及び光導波路１３０が突起１０１−１による押下によって撓みやすいのに対し、金属板３０１は撓まない。このため、ＦＰＣ１１２及び光導波路１３０の下方に金属板３０１を設けることにより、突起１０１−１による押下によって放熱シート２０２の上面に加わる圧力を均一にすることができるので、放熱シート２０２の上面が傾斜してしまうことを防止できる。よって、光導波路１３０の下面とプリント基板１１１の上面との間の隙間を放熱シート２０２で埋めた場合に、放熱シート２０１と、駆動ＩＣ１１３、発光素子１１４、ＴＩＡ１１５及び受光素子１１６との密着性をより高めることができる。
【００４８】
［実施例４］
＜光モジュールの内部構成＞
図５は、実施例４の光モジュールの内部構成を示す図（断面図）である。なお、上面図は実施例１と同一であるため省略する。
【００４９】
図５に示す光モジュール４００においては、実施例２の放熱シート２０２に代えて、弾性体４０１が、光導波路１３０の下面と、プリント基板１１１との上面との間に積層されて配置される。弾性体４０１は、例えば、皿ばね、ゴム等である。
【００５０】
このように、本実施例では、放熱シート２０１の厚さを薄くしたことにより生じる、光導波路１３０の下面とプリント基板１１１の上面との間の隙間を、弾性体４０１により埋める。これにより、放熱シート２０１と、駆動ＩＣ１１３、発光素子１１４、ＴＩＡ１１５及び受光素子１１６との密着性を高めることができる。また、上カバー１０１とプリント基板１１１との間の間隔の寸法公差のうち、厚さが薄い放熱シート２０１では吸収しきれない分を、弾性体４０１の弾性により吸収することができる。
【００５１】
［実施例５］
＜光モジュールの内部構成＞
発光素子１１４及び受光素子１１６の特性は温度に応じて変化するため、通常、温度に応じて発光素子１１４及び受光素子１１６の制御がなされる。光電気変換器６では、特に、駆動ＩＣ１１３及びＴＩＡ１１５の発熱が大きく、駆動ＩＣ１１３及びＴＩＡ１１５からの放熱の影響で、発光素子１１４及び受光素子１１６の温度が上昇する。発光素子１１４及び受光素子１１６は温度センサを有しないため、従来は、駆動ＩＣ１１３またはＴＩＡ１１５に内蔵された温度センサによって測定された温度、つまり、駆動ＩＣ１１３またはＴＩＡ１１５の温度を、発光素子１１４及び受光素子１１６の温度として代用していた。
【００５２】
これに対し、発光素子１１４及び受光素子１１６の温度を直接測定するために、駆動ＩＣ１１３またはＴＩＡ１１５に温度センサを内蔵するのではなく、発光素子１１４及び受光素子１１６の近傍に温度センサを配置することが考えられる。しかし、温度センサは、発光素子１１４及び受光素子１１６と一定の距離をおいて配置されるため、この距離が長くなるほど、温度センサによって測定される温度と、発光素子１１４及び受光素子１１６の実際の温度との差が大きくなる。つまり、測定される温度の誤差が大きくなる。
【００５３】
そこで、本実施例では、以下のようにして、発光素子１１４及び受光素子１１６の温度を測定するようにした。
【００５４】
図６は、実施例５の光モジュールの内部構成を示す図である。図６（Ａ）は上面図、図６（Ｂ）は光伝送方向に沿った断面図である。
【００５５】
図６において、光モジュール５００は、放熱シート５０１と、温度センサ５５０とを有する。
【００５６】
放熱シート５０１は、可塑性を有する熱伝導部材であり、放熱シート５０１の下面が駆動ＩＣ１１３、発光素子１１４、ＴＩＡ１１５、受光素子１１６及び温度センサ５５０の上面の全面を覆うように、ＦＰＣ１１２の上方に積層されて配置される。そして、このように配置された放熱シート５０１が、突起１０１−１よって押下されることにより変形し、放熱シート５０１の下面と、駆動ＩＣ１１３、発光素子１１４、ＴＩＡ１１５及び受光素子１１６の少なくとも上面とが密着する。また、放熱シート５０１の下面と、温度センサ５５０の上面とが密着する。
【００５７】
温度センサ５５０は、プリント基板１１１上の所定の位置に配置される。特に、温度センサ５５０は、ＦＰＣ１１２の周囲にＦＰＣ１１２に近接して配置されるのが好ましい。
【００５８】
なお、上記説明では、放熱シート５０１の下面と温度センサ５５０の上面とが密着する場合を一例として説明したが、密着面はこれらに限定されず、放熱シート５０１のいずれかの面と、温度センサ５５０のいずれかの面とが密着すればよい。
【００５９】
このように、本実施例では、放熱シート５０１を、温度センサ５５０と発光素子１１４と受光素子１１６とに密着するように配置したので、発光素子１１４及び受光素子１１６の温度が、空気を介してではなく、放熱シート５０１を介して熱伝導により温度センサ５５０に伝わる。よって、温度センサ５５０は、発光素子１１４及び受光素子１１６の温度を正確に測定することができる。
【００６０】
＜熱伝導のシミュレーション結果＞
図７は、放熱シートを備えない場合の熱伝導のシミュレーション結果を示すグラフであり、図８は、放熱シートを備える場合の熱伝導のシミュレーション結果を示すグラフである。なお、図７，８において、ＴＩＡ１１５の発熱量及び受光素子１１６の発熱量は共に０.８Ｗである。
【００６１】
図７に示すように、光モジュール５００が放熱シート５０１を備えない場合は、ＴＩＡ１１５及び受光素子１１６の温度が高温になるとともに、受光素子１１６の温度と、温度センサ５５０で測定される温度との差が約１００℃と大きくなる。
【００６２】
これに対し、光モジュール５００が放熱シート５０１を備える場合は、図８に示すように、ＴＩＡ１１５及び受光素子１１６の温度が図７に比べ約１００℃低下する。また、ＴＩＡ１１５の温度と受光素子１１６の温度との差が１０℃程度であるのに対し、受光素子１１６の温度と、温度センサ５５０で測定される温度との差が３℃未満と小さくなる。つまり、放熱シート５０１を、温度センサ５５０と受光素子１１６とに密着するように配置することで、受光素子１１６の正確な温度を測定することができる。よって、温度に応じた正確な制御が可能になる。
【００６３】
なお、実施例１−４のいずれかの構成に温度センサを適用して放熱シートと温度センサとを密着させてもよい。
【符号の説明】
【００６４】
１００，２００，３００，４００，５００  光モジュール
１０１  上カバー
１０１−１  突起
１０２  下カバー
１０２−１  突起
１１１  プリント基板
１１２  ＦＰＣ
１１３  駆動ＩＣ
１１４  発光素子
１１５  ＴＩＡ
１１６  受光素子
１２０  電気コネクタ
１３０  光導波路
１４０，２０１，２０２，５０１  放熱シート
３０１  金属板
４０１  弾性体
【図１】
2015022129.tif 000003
【図２】
2015022129.tif 000004
【図３】
2015022129.tif 000005
【図４】
2015022129.tif 000006
【図５】
2015022129.tif 000007
【図６】
2015022129.tif 000008
【図７】
2015022129.tif 000009
【図８】
2015022129.tif 000010